(57)【要約】      （修正有）【課題】簡単且つスピーディに定位することで、キャビネット組立速度及び正確度を有効に向上させるキャビネット組立構造を提供する。【解決手段】キャビネット組立構造は、キャビネット本体、複数の掛合部２０及び複数の結合掛釘３０を含む。該キャビネット本体は、矩形中空フレーム体の前フレーム１１、最上フレーム１４、底フレーム１５、後フレーム１２及び一組の側フレーム１３を備える。 複数の掛合部２０は側フレーム１３の両側端に対称排列設置し、複数の結合掛釘３０は前フレーム１１の両側端及び後フレーム１２の両側端に対称排列設置する。掛合部２０を結合掛釘３０上に相対掛合することによって、側フレーム１３の両側端を前フレーム１１側端及び後フレーム１２側端にそれぞれ接合する。【選択図】図３
0003216636.tif 000002
【実用新案登録請求の範囲】
【請求項１】
矩形中空フレーム体の前フレーム、後フレーム、一組の側フレーム、最上フレーム及び底フレームから構成され、且つ各フレームの外側面にフレーム板を組立固定するキャビネット本体と、該側フレームの両側端に対称排列設置し、そのうち該掛合部は螺合片及び掛合台を含み、そのうち該螺合片及び該掛合台の間は、直角折曲構造であり、且つ該螺合片は該側フレームの矩形フレーム体上に螺設固定し、隣接する矩形フレーム体を定位組立し、また該掛合台は下向きに広がる開口及び円弧形状の底部を備える構造である複数個の掛合部と、該前フレームの両側端及び該後フレームの両側端に対称排列設置し、そのうち該結合掛釘係は螺合片、円柱体及び停止部を含み、於該結合掛釘の中段位置の該円柱体は該掛合台の底部位置に上下対応して掛合し、該結合掛釘の末端位置の該停止部が該掛合台の脱落現象を防止し、該結合掛釘の該螺合片は該後フレーム及び該前フレームの矩形フレーム体上に螺設固定する複数の結合鞘を含むキャビネット組立構造において、該掛合部は、該結合掛釘上に相対して掛合し、二該側フレームの両側端を該前フレームの側端及び該後フレームの側端にそれぞれ対応して接合し、複数個のＬ型固定片を含み、該前フレーム、該後フレーム、二該側フレームの上下端面に隣接する該最上フレーム及び該底フレームを螺設固定することに拠って、キャビネットのフレーム構造が組み立てられることを特徴とするキャビネット組立構造。
【考案の詳細な説明】
【技術分野】
【０００１】
本考案は、キャビネット組立構造に関するもので、特に複数の掛合部と複数の結合掛釘でキャビネットのフレーム体をスピーディに組立定位する機能を達成する。
【背景技術】
【０００２】
近年、設置が便利な組立式家具が消費者から受け入れられ、業者は消費者が求める各種のリクエストに応えるため常に新しいものを展開している。
【先行技術文献】
【特許文献】
【０００３】
【特許文献１】特開2007-117378号公報
【考案の概要】
【考案が解決しようとする課題】
【０００４】
解決しようとする問題点として、殆どの公知組立式家具は、簡単に結合、粘着、掛合で組み立てることができるが、隣接するフレーム体を固定する時、通常ユーザーが手で支えて固定する。フレーム体の体積が大きかったり、重かったりした場合、揺れたり正確に合わせられなかったりする状況が発生しやすい。それは固定が困難であるだけでなく、且つ組立後の家具が歪んだり偏ったりする現象が起こりやすい。更に公知の組立式家具のフレーム体及びフレーム板の間の構造の安定性強化が待たれる。特にネジ固定の組立式家具は、一端偏ったり揺れたりすると、接合角度が歪み、且つそれを修正するのは非常に困難で、それは製造及び使用の問題となる。
【０００５】
上述の点から、本考案者は、関連デザイン実務に携わっている経験から、積極的に研究改良し、何度も実物見本を試作し、遂に公知の上述の欠点を改善する本考案を提供することになった。
【課題を解決するための手段】
【０００６】
本考案は、キャビネット本体、複数の掛合部及び複数の結合掛釘を含む。該キャビネット本体は、矩形中空フレーム体の前フレーム、最上フレーム、底フレーム、後フレーム及び一組の側フレームを備える。 複数の掛合部は該側フレームの両側端に対称排列設置し、複数の結合掛釘は該前フレームの両側端及び該後フレームの両側端に対称排列設置する。該掛合部を該結合掛釘上に相対掛合することによって、該側フレームの両側端を該前フレーム側端及び該後フレーム側端にそれぞれ接合することを最も主要な特徴とする。
【考案の効果】
【０００７】
本考案のキャビネット組立構造は、簡単且つスピーディに定位することで、キャビネット組立速度及び正確度を有効に向上させるという利点がある。
【図面の簡単な説明】
【０００８】
【図１】本考案キャビネット組立構造の立体外観指示図である。
【図２】本考案キャビネット組立構造の局部分解指示図である。
【図３】本考案キャビネット組立構造の立体分解指示図である。
【図４】本考案の掛合部と結合掛釘の組立拡大指示図である。
【図５】本考案の側フレームと後フレームの分解指示図である。
【図６】本考案の側フレームと前フレームの分解指示図である。
【図７】本考案の側フレームと後フレーム及び最上フレーム接合の局部断面図である。
【図８】本考案の側フレームと前フレーム及び最上フレーム接合の局部断面図である。
【図９】本考案の第二実施例の立体外観指示図である。
【考案を実施するための形態】
【０００９】
上述の欠点を改善するため、本考案はキャビネット組立構造を提供する。それは隣接する中空フレーム体において、数個の掛合部及び結合掛釘をそれぞれ対応設置し、隣接する中空フレーム体間でスピーディに安定結合して定位する。
【００１０】
本考案のキャビネット組立構造は、キャビネット本体、複数の掛合部及び複数の結合掛釘を含む。該キャビネット本体は前フレーム、後フレーム、一組の側フレーム、最上フレーム及び底フレームから構成され、複数の掛合部は該側フレームの両側端に設置し、複数の結合掛釘を掛合するのに用いる。また複数の結合掛釘は該前フレームの両側端及び該後フレームの両側端に設置し、該側フレームの両側端を該前フレームの側端及び該後フレームの側端でそれぞれ接合する。
【００１１】
以下、具体的実施例を図式と共に詳細に説明し、本考案の技術的特徴を更に深く説明する。
【実施例１】
【００１２】
図１から図３に示すとおり、本考案はキャビネット組立構造であり、キャビネット本体１０、複数の掛合部２０、複数の結合掛釘３０、引出し４０、一組の可動ドア片４５及び複数のＬ型固定片５０を含む。
【００１３】
該キャビネット本体１０は、複数個の矩形中空フレーム体の前フレーム１１、後フレーム１２、 一組の側フレーム１３、 最上フレーム１４及び底フレーム１５から構成され、且つ該後フレーム１２外側にはフレーム板１２１を熔接固定する。該側フレーム１３外側はフレーム板１３１を熔接固定し、該最上フレーム１４外側はフレーム板１４１を熔接固定し、該底フレーム１５外側はフレーム板１５１を熔接固定する。簡単に説明すると、各該矩形中空フレーム体の外側はすべて矩形フレーム板を対応して熔接固定し、キャビネット構造に組み立てて構成する。
【００１４】
複数個の掛合部２０は、該側フレーム１３の両側端に対称配列して設置する。
【００１５】
複数個の結合掛釘３０は、該前フレーム１１の両側端及び該後フレーム１２の両側端 (例として図２から図６参照)に対称配列して設置し、該掛合部２０は該結合掛釘３０上に相対掛合設置し、該二側フレーム１３の両側端を該前フレーム１１の側端及び該後フレーム１２の側端にそれぞれ接合する。
【００１６】
該引出し４０は、は、該側フレーム１３との間に相対するレール４１を固定設置し、該引出し４０を該対称組の側フレーム１３の間で可動設置させる。
【００１７】
該対称組の可動ドア片４５は、該前フレーム１１の両側端で枢設し、それらは相互対称に開閉する。
【００１８】
該複数のＬ型固定片５０は、該前フレーム１１、該後フレーム１２、該側フレーム１３の上下端面に相互隣接する該最上フレーム１４及び該底フレーム１５に螺設固定するのに用い、キャビネットのフレーム構造が組み立てられる。
【００１９】
該掛合部２０及び結合掛釘３０の組立構造(例として図４所示)に関し、該掛合部２０は螺合片２３及び掛合台２１を含む。そのうち該螺合片２３及び該掛合台２１の間は、直角折曲構造であり、且つ該螺合片２３は該側フレーム１３の矩形フレーム体上で螺設し、隣接する矩形フレーム体を定位組立する。また該掛合台２１は下向きに広がる開口２１２及び円弧形状の底部２１１構造を備える。該結合掛釘３０は螺合片３２、円柱体３３及び停止部３１を含み、於該結合掛釘３０の中段位置の該円柱体３３は該掛合台２１の底部２１１位置に上下対応して掛合し、該結合掛釘３０末端位置の該停止部３１は該掛合台２１が滑り落ちるのを防止する。また、該結合掛釘３０の該螺合片３２は、該後フレーム１２及び該前フレーム１１の矩形フレーム体上で螺合固定する。該掛合台２１の底部２１１の円弧直径は、該結合掛釘３０の円柱体３３断面直径とほぼ同じであり、該停止部３１の直径は該底部２１１の圓弧直径より大きい。
【００２０】
該掛合部２０の該掛合台２１の下向き開口２１２が徐々に広くなる構造設計によって、該掛合部２０が該結合掛釘３０に簡易に対応して設置し、該結合掛釘３０の該円柱体３３が該掛合台２１の底部２１１位置に上下対応して掛合する。更に該停止部３１によって該掛合部２０が該結合掛釘３０から外れるのを防止する。
【００２１】
例として図５から図８に示すとおり、本考案は組立において、先ず二該側フレーム１３上の数個の掛合部２０を該前フレーム１１及び該後フレーム１２上の数個の結合掛釘３０(上から下に掛合する)に相対して掛合し、該前フレーム１１、該後フレーム１２及び該対称組の側フレーム１３を相互に接合定位する。続いて複数個のＬ型固定片５０を用い、該前フレーム１１、該後フレーム１２、二該側フレーム１３の上下端面に隣接する該最上フレーム１４及び該底フレーム１５を上下螺設固定し、キャビネットのフレーム構造が組み立てられる。該側フレーム１３の中段位置には別に二個のＬ型固定片５０で該前フレーム１１及び該後フレーム１２の中段位置にそれぞれ結合し、該最上フレーム１４の底面は四個のＬ型固定片５０で該前フレーム１１及び該後フレーム１２の対応最上部位置にぞれぞれ結合し、また該底フレーム１５の最上面は四個のＬ型固定片５０で該前フレーム１１及び該後フレーム１２の対応底部位置にそれぞれ結合する。その他、該キャビネット本体１０の底部に可動車輪を設置することが使用が便利になる。
【００２２】
更に詳細説明する。前述該掛合部２０及び該結合掛釘３０の設置位置は、実施例の一つに過ぎず、設計において、その設置位置は変更することができる。例として、複数の掛合部２０は該前フレーム１１の両側端及び該後フレーム１２の両側端に対称排列設置し、また該結合掛釘３０は、該側フレーム１３の両側端に対称排列設置する。組立時、該前フレーム１１及び該後フレーム１２上の該掛合部２０によって該側フレーム１３上の該結合掛釘３０(上から下に掛合する)に相対して掛合し、該前フレーム１１、該後フレーム１２及び該対称組の側フレーム１３を相互に接合定位させる。
【００２３】
本考案は、キャビネットのフレームを相対して組み立てる特徴を利用することで、キャビネットのフレーム構造強度を上げるだけでなく、更に組立が正確で速くなり、該前フレーム１１、該後フレーム１２及び該対称組の側フレーム１３をスピーディーで簡単に定位し、キャビネットフレームの固定組立が完成し、キャビネット組立の効果を高める。
【実施例２】
【００２４】
図９に示すとおり、それは本考案の第二実施例であり、複数個の引出し４０及び引桿６０を含み、該引桿６０は該前フレーム１１上に設置する。
【００２５】
上述のとおり、本考案は複数の掛合部及び複数の結合掛釘を利用し、隣接するキャビネットフレーム上にそれぞれ設置することで、各フレームを簡易でスピーディーに相互掛合して定位し、キャビネットの組立速度及び正確度を向上させる。
【符号の説明】
【００２６】
１０        キャビネット本体
１１        前フレーム
１２        後フレーム
１２１        フレーム板
１３        側フレーム
１３１        フレーム板
１４        最上フレーム
１４１        フレーム板
１５        底フレーム
１５１        フレーム板
２０        掛合部
２１        掛合台
２１１        底部
２１２        開口
２３        螺合片
３０        結合掛釘
３１        停止部
３２        螺合片
３３        円柱体
４０        引出し
４１        レール
４５        可動ドア片
５０        Ｌ型固定片
６０        引桿
【図１】
0003216636.tif 000003
【図２】
0003216636.tif 000004
【図３】
0003216636.tif 000005
【図４】
0003216636.tif 000006
【図５】
0003216636.tif 000007
【図６】
0003216636.tif 000008
【図７】
0003216636.tif 000009
【図８】
0003216636.tif 000010
【図９】
0003216636.tif 000011
【手続補正書】
【提出日】平成30年4月9日(2018.4.9)
【手続補正１】
【補正対象書類名】実用新案登録請求の範囲
【補正対象項目名】全文
【補正方法】変更
【補正の内容】
【実用新案登録請求の範囲】
【請求項１】
矩形中空フレーム体の前フレーム、後フレーム、一組の側フレーム、最上フレーム及び底フレームから構成され、且つ各フレームの外側面にフレーム板を組立固定するキャビネット本体と、該側フレームの両側端に対称排列設置し、
そのうち掛合部は螺合片及び掛合台を含み、そのうち該螺合片及び該掛合台の間は、直角折曲構造であり、且つ該螺合片は該側フレームの矩形フレーム体上に螺設固定し、隣接する矩形フレーム体を定位組立し、また該掛合台は下向きに広がる開口及び円弧形状の底部を備える構造である複数個の掛合部と、該前フレームの両側端及び該後フレームの両側端に対称排列設置し、
そのうち結合掛釘は螺合片、円柱体及び停止部を含み、該結合掛釘の中段位置の該円柱体は該掛合台の底部位置に上下対応して掛合し、該結合掛釘の末端位置の該停止部が該掛合台の脱落現象を防止し、該結合掛釘の該螺合片は該後フレーム及び該前フレームの矩形フレーム体上に螺設固定する複数の結合鞘を含むキャビネット組立構造において、該掛合部は、該結合掛釘上に相対して掛合し、二該側フレームの両側端を該前フレームの側端及び該後フレームの側端にそれぞれ対応して接合し、複数個のＬ型固定片を含み、該前フレーム、該後フレーム、二該側フレームの上下端面に隣接する該最上フレーム及び該底フレームを螺設固定することに拠って、キャビネットのフレーム構造が組み立てられることを特徴とするキャビネット組立構造。